【手続補正書】
【提出日】平成18年4月14日(2006.4.14)
【手続補正１】
【補正対象書類名】明細書
【補正対象項目名】特許請求の範囲
【補正方法】変更
【補正の内容】
【特許請求の範囲】
【請求項１】
所定位置に設置された状態で紫外線の被照射により硬化する光硬化型インクを貯留するインクタンクと、光を発して前記インクタンクに貯留された光硬化型インクの有無を検知する光センサとを備えるインクジェットプリンタであって、
前記インクタンクの所定部位には光透過性の窓部が配設されており、
前記光センサが前記窓部に対向する位置に配設されており、前記窓部を介して前記インクタンクに貯留された光硬化型インクの有無を検知することを特徴とするインクジェットプリンタ。
【請求項２】
前記インクタンクの前記窓部が紫外線遮蔽性を有することを特徴とする請求項１に記載のインクジェットプリンタ。
【請求項３】
前記インクタンクの前記窓部以外の部分が遮光性を有することを特徴とする請求項１又は２に記載のインクジェットプリンタ。
【請求項４】
前記窓部は内壁と外壁とが互いに異なる材料から構成された二重構造を有することを特徴とする請求項２に記載のインクジェットプリンタ。
【請求項５】
前記窓部の外壁が主にメタクリル樹脂から構成されていることを特徴とする請求項４に記載のインクジェットプリンタ。
【請求項６】
前記窓部の内壁を含む前記インクタンクの内壁が主にポリエチレンから構成されていることを特徴とする請求項４又は５に記載のインクジェットプリンタ。
【請求項７】
前記光硬化型インクがカチオン重合性化合物を含むカチオン重合系の光硬化型インクであることを特徴とする請求項１〜６のいずれか一項に記載のインクジェットプリンタ。
【請求項８】
前記光硬化型インクを記録媒体に吐出する記録ヘッドと、
前記記録ヘッドから吐出されて記録媒体に着弾した前記光硬化型インクに紫外線を照射する紫外線光源と、
を備えることを特徴とする請求項１〜７のいずれか一項に記載のインクジェットプリンタ。
【請求項９】
前記光硬化型インクを滴として記録媒体に吐出する記録ヘッドを備え、
前記光硬化型インクが３０℃で１０〜５００ｍＰａ・ｓの粘度を有し、
前記記録ヘッドが前記光硬化型インクを３０〜１５０℃に加熱して一滴当たり２〜２０ｐｌのインク滴として記録媒体に吐出することを特徴とする請求項１〜８のいずれか一項に記載のインクジェットプリンタ。
【請求項１０】
前記記録媒体が前記光硬化型インクに対して非吸収性の記録媒体であることを特徴とする請求項８又は９に記載のインクジェットプリンタ。
【手続補正２】
【補正対象書類名】明細書
【補正対象項目名】０００９
【補正方法】変更
【補正の内容】
【０００９】
【課題を解決するための手段】
上記課題を解決するため請求項１に記載の発明は、所定位置に設置された状態で紫外線の被照射により硬化する光硬化型インクを貯留するインクタンクと、光を発して前記インクタンクに貯留された光硬化型インクの有無を検知する光センサとを備えるインクジェットプリンタであって、
前記インクタンクの所定部位には光透過性の窓部が配設されており、
前記光センサが前記窓部に対向する位置に配設されており、前記窓部を介して前記インクタンクに貯留された光硬化型インクの有無を検知することを特徴とする。
【手続補正３】
【補正対象書類名】明細書
【補正対象項目名】００１１
【補正方法】変更
【補正の内容】
【００１１】
請求項２に記載の発明は、
請求項１に記載のインクジェットプリンタにおいて、
前記インクタンクの前記窓部が紫外線遮蔽性を有することを特徴とする。
請求項３に記載の発明は、
請求項１又は２に記載のインクジェットプリンタにおいて、
前記インクタンクの前記窓部以外の部分が遮光性を有することを特徴とする。
【手続補正４】
【補正対象書類名】明細書
【補正対象項目名】００１２
【補正方法】変更
【補正の内容】
【００１２】
請求項３に記載の発明では、インクタンクの窓部以外の部分が遮光性を有するため、光（紫外線を含む。）がインクタンクの窓部以外の部分からインクタンクの内部に入射することはない。また請求項２に記載の発明では、インクタンクの窓部は請求項１に記載の通り光透過性を有するけれども紫外線遮蔽性を有するため、紫外線が窓部からインクタンクの内部に入射することもない。したがってインクタンクの内部に貯留される光硬化型インクが硬化するのを防止することができる。
【手続補正５】
【補正対象書類名】明細書
【補正対象項目名】００１３
【補正方法】変更
【補正の内容】
【００１３】
請求項４に記載の発明は、
請求項２に記載のインクジェットプリンタにおいて、
前記窓部は内壁と外壁とが互いに異なる材料から構成された二重構造を有することを特徴とする。
請求項５に記載の発明は、
請求項４に記載のインクジェットプリンタにおいて、
前記窓部の外壁が主にメタクリル樹脂から構成されていることを特徴とする。
【手続補正６】
【補正対象書類名】明細書
【補正対象項目名】００１４
【補正方法】変更
【補正の内容】
【００１４】
請求項５に記載の発明では、窓部の外壁が紫外線遮蔽性を有するメタクリル樹脂から構成されているため、紫外線が窓部からインクタンクの内部に入射するのを防止することができる。
【手続補正７】
【補正対象書類名】明細書
【補正対象項目名】００１５
【補正方法】変更
【補正の内容】
【００１５】
請求項６に記載の発明は、
請求項４又は５に記載のインクジェットプリンタにおいて、
前記窓部の内壁を含む前記インクタンクの内壁が主にポリエチレンから構成されていることを特徴とする。
【手続補正８】
【補正対象書類名】明細書
【補正対象項目名】００１６
【補正方法】変更
【補正の内容】
【００１６】
請求項６に記載の発明では、インクタンクの内壁（窓部の内壁を含む。）が光硬化型インクに対して耐性を有するポリエチレンから構成されているため、インクタンクに貯留される光硬化型インクによりインクタンクの内壁が劣化したり腐食したりするのを防止することができる。
【手続補正９】
【補正対象書類名】明細書
【補正対象項目名】００１７
【補正方法】変更
【補正の内容】
【００１７】
請求項７に記載の発明は、
請求項１〜６のいずれか一項に記載のインクジェットプリンタにおいて、
前記光硬化型インクがカチオン重合性化合物を含むカチオン重合系の光硬化型インクであることを特徴とする。
【手続補正１０】
【補正対象書類名】明細書
【補正対象項目名】００１８
【補正方法】変更
【補正の内容】
【００１８】
請求項７に記載の発明では、インクがカチオン重合系の光硬化型インクであるため比較的低照度の紫外線でインクを硬化させることができる。
【手続補正１１】
【補正対象書類名】明細書
【補正対象項目名】００１９
【補正方法】変更
【補正の内容】
【００１９】
請求項８に記載の発明は、
請求項１〜７のいずれか一項に記載のインクジェットプリンタにおいて、
前記光硬化型インクを記録媒体に吐出する記録ヘッドと、
前記記録ヘッドから吐出されて記録媒体に着弾した前記光硬化型インクに紫外線を照射する紫外線光源と、
を備えることを特徴とする。
【手続補正１２】
【補正対象書類名】明細書
【補正対象項目名】００２０
【補正方法】変更
【補正の内容】
【００２０】
請求項８に記載の発明では、記録ヘッドと紫外線光源とを備えるため、記録媒体にインクを吐出することができ、記録媒体に着弾したインクを紫外線により硬化させることができる。
【手続補正１３】
【補正対象書類名】明細書
【補正対象項目名】００２１
【補正方法】変更
【補正の内容】
【００２１】
請求項９に記載の発明は、
請求項１〜８のいずれか一項に記載のインクジェットプリンタにおいて、
前記光硬化型インクを滴として記録媒体に吐出する記録ヘッドを備え、
前記光硬化型インクが３０℃で１０〜５００ｍＰａ・ｓの粘度を有し、
前記記録ヘッドが前記光硬化型インクを３０〜１５０℃に加熱して一滴当たり２〜２０ｐｌのインク滴として記録媒体に吐出することを特徴とする。
【手続補正１４】
【補正対象書類名】明細書
【補正対象項目名】００２２
【補正方法】変更
【補正の内容】
【００２２】
請求項９に記載の発明では、インクが３０℃で１０〜５００ｍＰａ・ｓの粘度を有し、記録ヘッドがインクを３０〜１５０℃に加熱して一滴当たり２〜２０ｐｌのインク滴として記録媒体に吐出するため、記録媒体に高精細な画像を記録することができる。
【手続補正１５】
【補正対象書類名】明細書
【補正対象項目名】００２３
【補正方法】変更
【補正の内容】
【００２３】
請求項１０に記載の発明は、
請求項８又は９に記載のインクジェットプリンタにおいて、
前記記録媒体が前記光硬化型インクに対して非吸収性の記録媒体であることを特徴とする。
【手続補正１６】
【補正対象書類名】明細書
【補正対象項目名】００２４
【補正方法】変更
【補正の内容】
【００２４】
請求項１０に記載の発明では、記録媒体がインクに対して非吸収性であるためインクが記録媒体に滲むのを防止することができる。